(57)【要約】      （修正有）【課題】回転機構を採用しながら、ハンガー本体をより安定なものとする回転式ハンガーのベースを提供する。【解決手段】上部に複数のローラ５７を取り付けた支持台５と、ローラ５７のレールとなるハンガー本体の下部枠６と、支持台５と下部枠６を回転自体に接続する支柱７とを有する。支持台５から外方に伸びる突出部分５１ａ，５２ａを設け、この突出部分に対して床上に接して回転するキャスター５５を取り付けている。【選択図】図２
0003162791.tif 000002
【実用新案登録請求の範囲】
【請求項１】
上部に複数のローラ（５７）を取り付けた支持台（５）と、前記ローラ（５７）のレールとなるハンガー本体の下部枠（６）と、前記支持台（５）と前記下部枠（６）を回転自体に接続する支柱（７）とを有する回転式ハンガー（１）のベース（２）において、
前記支持台（５）から外方に伸びる突出部分（５１ａ，５２ａ）を設け、この突出部分に対して床上に接して回転するキャスター（５５）を取り付けたことを特徴とする回転式ハンガー（１）のベース（２）。
【請求項２】
前記支持台（５）と前記下部枠（６）は共に中央部（５３；６４）を通過する補強部材（５１，５２；６１，６２，６３）を有し、前記支柱（７）がこの中央部同士（５３；６４）を接続するものである請求項１記載の回転式ハンガーのベース。
【請求項３】
前記突出部分（５１ａ，５２ａ）が前記支持台（５）の補強部材（５１，５２）の延長部である請求項１又は２記載の回転式ハンガーのベース。
【請求項４】
前記突出部分（５１ａ，５２ａ）の長さが３〜１２ｃｍである請求項１〜３記載の回転式ハンガーのベース。
【請求項５】
前記ローラ（５７）が金属製ベアリング（５８）を有する請求項１〜４記載の回転式ハンガーのベース。
【考案の詳細な説明】
【技術分野】
【０００１】
本考案は、多数の衣服を埃から防ぎつつ吊り下げて収納する回転式ハンガーに関し、特にそのベース部分を改良した考案に関する。
【背景技術】
【０００２】
現在、市販されているこの種のハンガーは、たとえば実用新案登録第３０１８１８１号により、公知のものである。この考案によれば、ベース部分は、床に載置されたリング状の支持台を有し、この支持台の上に位置するハンガー本体のリング状下部枠を回転可能に支持している。それにより、使用者はハンガーを回転させながら、衣服を自由に選択し、取り出すことができる。回転機構は、ハンガー本体の下部枠が移動レールとなり、支持台に取り付けられたローラ上を滑走することによる。
【考案の概要】
【考案が解決しようとする課題】
【０００３】
衣服ハンガーは、上記従来技術に図示されているように、縦長円柱状の構造であり、衣服の重量が軽いときには問題は少ないが、重量が増えるに従って、本来的に不安定となりやすい。さらに、回転機構を採用することにより、支持台とその上のハンガー本体がスライド係合をしなければならず、重心の移動があるので不安定さが増すという欠点を有する。
【０００４】
本考案は、回転機構を採用しながら、ハンガー本体をより安定なものとすることを目的とする。
【課題を解決するための手段】
【０００５】
本考案は、上部に複数のローラを取り付けた支持台と、前記ローラのレールとなるハンガー本体の下部枠と、前記支持台と前記下部枠を回転自体に接続する支柱とを有する回転式ハンガーのベースにおいて、前記支持台から外方に伸びる突出部分を設け、この突出部分に対して床上に接して回転するキャスターを取り付けたことを特徴とする。  
【考案の効果】
【０００６】
前記支持台から外方に伸びる突出部分を設け、この突出部分に対して床上に接して回転するキャスターを取り付けたことにより、ハンガー本体と床面の接触面積が広がったのと同じ効果があり、回転式ハンガーが安定化される。
【図面の簡単な説明】
【０００７】
【図１】本発明の実施例に係る回転式ハンガーの全体斜視図である。
【図２】ベース部分の分解斜視図である。
【図３】ベース部分の拡大斜視図である。
【図４】ベース部分のローラの取付状体を示す斜視図である。
【図５】図４の５−５断面図である。
【考案を実施するための形態】
【０００８】
前記支持台と前記下部枠は共に中央部を通過する補強部材を有し、前記支柱がこの中央部同士を接続するものとすることが好ましい。
【０００９】
また、前記突出部分は前記支持台の補強部材の延長部とすることが、部品を少なくする上で好ましい。前記突出部分の長さは３〜１２ｃｍが好ましく、５〜９ｃｍがより好ましく、８．５ｃｍが最も好ましい。突出部分の長さが３ｃｍよりも短ければ安定化の効果は薄れ、１２ｃｍよりも長くなると設置場所に困る使用者も出てくる可能性がある。
【００１０】
また、前記ローラは金属製ベアリングを内蔵させたものとすることが、ローラの動きを軽快にするので好ましい。
【実施例１】
【００１１】
以下、添付の図面に基づき、本考案の１実施例を説明する。
【００１２】
図１に示すように、本実施例の回転式ハンガー１は、ベース部分２とその上のハンガー本体３からなる。使用時には、ハンガー１全体は開閉可能なカーテン４で円柱状に締め切られて、衣服に埃が付着しないように密閉される。衣服の取り出すときには、カーテンを部分的に開放して行う。
【００１３】
ベース部分２は、支持台５を有し、この支持台５の上に位置するハンガー本体３の下部枠６を回転可能に支持している。
【００１４】
支持台５は、全体がリング状であるが、２本の補強部材５１，５２が中央部５３でクロスして十字形に設けられ、外枠リング５４に対して固定されている。この２本の補強部材５１，５２は外枠リング５４との固定個所を超えて４個所で突出している。４個所それぞれの突出部分５１ａ，５２ａの突出長さは約３〜１２ｃｍが好ましく、５〜９ｃｍがより好ましく、８．５ｃｍが最も好ましい。この突出部分５１ａ，５２ａの下部には、床上に接して回転するキャスター５５がそれぞれ１個ずつ取り付けられている。
【００１５】
図４、図５に示すように、外枠リング５４の上の４個所にローラ固定金具５６が固定されており、この固定金具５６にローラ５７が回転可能に取り付けられている。これらのローラ５７の上を下部枠６の外枠リング６５が回転自在であり、したがってハンガー本体３も全体として回転自在である。
【００１６】
ローラは４個取り付けるのが好ましい。４個以上取り付けても無駄になり、４個より少なければ不安定となる。ローラは、硬質樹脂製であることが好ましく、荷重がかかったときの回転を軽快にするために、金属製ベアリング５８を内蔵させることが好ましい。
【００１７】
ハンガー本体３の下部枠６も全体がリング状であり、３本の補強部材６１、６２、６３が中央部６４と外枠リング６５を放射状に繋いでいる。
【００１８】
支持台５と下部枠６が外れないように、かつ、ハンガーの重量を安定的に支持するために、支持台５の中央部５３と下部枠６の中央部６４の間が支柱７により回転可能に接続されている。
【００１９】
本考案では、前記支持台５から外方に伸びる突出部分５１ａ，５２ａを設け、この突出部分に対して床上に接して回転するキャスター５５を取り付けたことにより、ハンガー本体３と床面の接触面積が広がったのと同じ効果があり、回転式ハンガーが安定化される。その結果、衣服の重量が重いときでも揺れにくくなり、移動させても倒れにくくなった。
【符号の説明】
【００２０】
１     回転式ハンガー
２     ベース部分
３     ハンガー本体部分
４     カーテン
５     支持台
５１，５２    補強部材
５１ａ，５２ａ       突出部分
５３   中央部
５４   外枠リング
５５   キャスター
５６   ローラ固定金具
５７   ローラ
５８   金属製ベアリング
６     下部枠
７     支柱
６１   補強部材
６４   中央部
６５   外枠リング
【先行技術文献】
【特許文献】
【００２１】
【特許文献１】実用新案登録第３０１８１８１号
【図１】
0003162791.tif 000003
【図２】
0003162791.tif 000004
【図３】
0003162791.tif 000005
【図４】
0003162791.tif 000006
【図５】
0003162791.tif 000007